(57)【要約】      （修正有）【課題】用紙の使用枚数を減らし、使用しやすい配送伝票を提供する。【解決手段】封筒上紙２１と封筒下紙２２の左端縁と上下縁を接着し、一方側短縁に開口２４を有する封筒部２０とした当該封筒部内に、前記開口から抜き取り可能なように先端を突出させた状態で配達票１６を内包させ、さらに当該封筒部の上面に複数枚の票を有するようにした複写式多層配送伝票において、当該封筒上紙２１を貼付票兼お届け先控１７として切り取りして利用できるように、前記左端縁と上下縁の接着部の内縁に沿って切り取り用ミシン目線ｍ１，ｍ２，ｍ３を形成する。なお、切り取り用ミシン目線には各種の形状を採用できる。【選択図】図１
2015208861.tif 000002
【特許請求の範囲】
【請求項１】
封筒上紙と封筒下紙の三周縁を接着し、一方側短縁に開口を有する封筒部とした当該封筒部内に、前記開口から抜き取り可能なように先端を突出させた状態で配達票を内包させ、さらに当該封筒部の上面に複数枚の票を有するようにした複写式多層配送伝票において、当該封筒上紙を貼付票兼お届け先控として切り取りして利用できるように、前記三周縁の接着部の内縁に沿って切り取り用ミシン目線を形成したことを特徴とする配送伝票。
【請求項２】
最上面の票に筆記または印字記録した情報のうち、少なくとも届け先人を視覚で特定できる情報を、封筒下紙面に複写可能にしたことを特徴とする請求項１記載の配送伝票。
【請求項３】
前記貼付票兼お届け先控の切り取り用ミシン目線のうち、上辺と下辺に沿うミシン目線を、横にした「Ｙ字形状」カット部とその間のアンカット部からなるものであり、左辺に沿うミシン目線が、「変形Ｌ字形状」カット部とアンカット部からなるであることを特徴とする請求項１または請求項２記載の配送伝票。
【請求項４】
前記貼付票兼お届け先控の切り取り用ミシン目線のうち、上辺と下辺に沿うミシン目線が、鎖線状のものであり、左辺に沿うミシン目線が、「漏斗状断面形状」とその間のアンカット部からなるものであることを特徴とする請求項１または請求項２記載の配送伝票。
【請求項５】
前記貼付票兼お届け先控の切り取り用ミシン目線のうち、上辺と下辺に沿うミシン目線が、横にした「変形Ｙ字形状」カット部とその間のアンカット部からなるものであり、左辺に沿うミシン目線が、「変形くの字形状」のカット部とその間のアンカット部からなるものであることを特徴とする請求項１または請求項２記載の配送伝票。
【発明の詳細な説明】
【技術分野】
【０００１】
本発明は配送伝票に関する。詳しくは、封筒上紙と封筒下紙からなる封筒部内に、配達票を内包すると共に、封筒上紙に開封構造を設けて切り取り可能にし、切り取りした封筒上紙を貼付票兼お客様控に利用することを特徴とする配送伝票に関する。
【背景技術】
【０００２】
１パート型の配送伝票は、特定の大量ユーザを対象に使用されてきているが、個人的な単品扱いの配送荷物には、従来型の複写式多層配送伝票がやはり主流に用いられている。
複写式多層配送伝票は、筆記圧またはインパクトプリンターで最上層の伝票に記録し、下層の伝票に同時複写する形式であるが、これにも各種の構造のものがある。
一般的には、お届け先控と配達票を封筒上紙と封筒下紙からなる封筒内に納め、該封筒上紙が貼付票となっていて、一端の短縁を接着して綴じたものが、配送荷物に貼り付けされて使われている。封筒下紙の下面には粘着剤層と剥離紙（セパ紙）があって、該剥離紙を剥がして粘着剤層により、配送荷物に貼り付けするものである。
伝票が配送中に破れたり抜け落ちたりしないように、上紙が貼付票である封筒とその内部に納めたお届け先控と配達票のみが配送荷物に貼付されるが、取扱店で扱う当初の伝票には、最上層に請求書兼ご依頼主控、その下に取扱店控等の各種票が備えられている。
【０００３】
ここで、図面を参照して、従来の配送伝票について説明する。
図８は、従来の配送伝票を示す模式側面図である。
耐水性に優れた複写用紙を封筒上紙２１とし、封筒下紙２２となるタック基材との三周縁を接着剤により封着して封筒部２０を形成する。
この封筒部２０内に、お届け先控１５と配達票１６を配置し、このお届け先控１５と配達票１６の端縁を封筒下紙２２であるタック基材に接着剤Ｓによって接着している。
お届け先控１５と配達票１６は、左端縁側の接着部近くに形成したミシン目線Ｍにより切り取り可能にされている。封筒下紙２２の下面には粘着剤層３１と剥離紙３２が配置されている。
【０００４】
従来から、封筒部２０の下面には、基材と剥離紙の間に粘着剤層を有するいわゆるタック紙を使用しているが、このタック紙の上側の基材はタック基材と称され、封筒下紙２２として利用されている。
封筒部２０の上には、最上層を請求書兼ご依頼主控１１、その下に取扱店控１２、売上票１３とし、各票が順に積層されている。これらの票間も接着剤Ｓにより接着され、同様にミシン目線Ｍにより切り取り可能にされている。封筒上紙２１は貼付票１４を兼ねるものであるが、封筒下紙２２とともに配送荷物に残るようにされており、切り取り用ミシン目線は設けられていない。
【０００５】
各票間は、裏カーボン紙を使ったコピー方式、あるいはノンカーボン（感圧複写）方式により、最上層の請求書兼ご依頼主控１１に筆記またはプリンター印字した内容を最下層の配達票１６まで、コピーするようにされている。
ここに、「請求書兼ご依頼主控１１」は、配送依頼人に対し取扱店が提出する請求書兼控のことであり、「取扱店控１２」と「売上票１３」は文字どおり店控や売上げの管理に使用される。「貼付票１４」は、封筒上紙２１に表示されており、配送荷物と一緒に最後まで残る票である。「お届け先控１５」は、届け先で後に確認するための控として保存する票である。「配達票１６」は、荷物が配送された際に係員が配達の証明として、届け先から捺印またはサインを得る目的の票である。
【０００６】
封筒下紙２２であるタック基材の下側には粘着剤層３１と剥離紙（セパ紙）３２があって、該剥離紙３２を剥がして粘着剤層３１により、配送荷物に貼り付けするものである。
以上の構成は配送伝票の一例であり、企業により一部の票は省略されることがあり、また他の票が追加される場合もあり得る。票の名称も統一されたものではない。
【０００７】
図９は、従来の配送伝票を示す平面図である。配送荷物に粘着剤層３１により貼付された状態を示すので、除去された請求書兼ご依頼主控１１、取扱店控１２、売上票１３は図示されていない。封筒上紙２１を兼ねる貼付票１４以下の構成が示されている。
封筒下紙２２に対し封筒上紙２１は、上下の周縁と綴じ側である左端縁側が接着剤Ｓにより接着し、左端縁と上下縁の接着部２３を形成している。封筒部の右端側は開口２４となっている。
図９において、ハッチングを施した部分が、封筒上紙２１裏面の接着部２３であることを透視的に示している。
また、封筒上紙２１と封筒下紙２２は同幅であるが、配送伝票１０ｊの長さ方向に対しては、封筒上紙２１は封筒下紙２２よりは短い寸法にされている。お届け先控１５と配達票１６が封筒上紙２１の開口から突出して上側から視認できるようにするためである。
配達票１６と間違えて、お届け先控１５を切り取りしないように、配達票１６がより長く開口２４から外に出るようにされている。
【０００８】
お届け先控１５と配達票１６の幅は封筒部２０内に納まる幅にされており、前記開口２４からお届け先控１５と配達票１６の先端を引っ張ると、ミシン目線Ｍが破れて抜き取りできるようにされている。配達票１６は、配送荷物が配送された際に、係員が必ず抜き取りするが、お届け先控１５は封筒部２０内に残されることが多い。
【０００９】
図９において、貼付票１４の上段の１２桁の数字は「お問い合わせ番号」であり、請求書兼ご依頼主控１１から封筒下紙２２の７枚の用紙に共通に付される同一のユニーク番号である。配送荷物の内容と送り主、届け先等の情報がこの番号により管理されており、管理サーバに蓄積されたデータにより内容が特定されようになっている。
同様に、貼付票１４の下段のバーコード２７も同様の性質を有するが、当該バーコード２７は全ての票には付されないようにされ、封筒下紙２２にも複写されない。
従って、バーコード２７を付す場合は、上側の票のその部分にカーボンを塗布し、バーコード２７を付さない場合は、上側票裏面のその部分にカーボンを塗布する必要がない。
【００１０】
以上のように、従来の配送伝票１０ｊについて概略説明したが、この従来の配送伝票についてもより使い易くしなければならない課題が指摘されている。
例えば、配送荷物から誤って貼付票１４とお届け先控１５とが切り取り除去された場合、配送荷物には封筒下紙２２のみが残るが、封筒下紙２２には、１２桁の数字である「お問い合わせ番号」のみがコピーされているので、その荷物がどのような内容であるか数字を見るだけでは判別できない問題がある。
【００１１】
また、配送伝票の使用材料の節減を図ることは永久の課題であり、この面からの改善も必要である。特に、お届け先控１５の必要性について検討されている。また、封筒下紙２２であるタック基材は、伝票を配送荷物から全て剥離した場合には、お問い合わせ番号だけを有するほぼ白紙の状態であり、一層の利用価値を高めることが課題になっている。
【００１２】
多層式配送伝票に関する先行技術は多数あるが、本願に密接に関連する文献は検出されない。そこで、多少とも関連する特許文献を挙げる。
特許文献１には、封筒型複写伝票の往時の形態が記載されている。特許文献２には、お届け先控と配達票の関係について記載されている。特許文献３は、タック紙の使用面積を減らすことについて記載している。
【先行技術文献】
【特許文献】
【００１３】
【特許文献１】実公平８−８１２５号公報
【特許文献２】特開２００５−８８３７９号公報
【特許文献３】特開平８−５２９６１号公報
【発明の概要】
【発明が解決しようとする課題】
【００１４】
複写式多層配送伝票において、使用票枚数を減らすと共に、封筒下紙であるタック紙の有効利用を図ることを課題とする。そのため、封筒上紙となる部分を貼付票兼お届け先控として、貼付票とお届け先控との共用を図る。
貼付票兼お届け先控を切り取り易くするため、ミシン目線の構成を検討する。
また、封筒下紙であるタック紙にも、お届け先控と関連する情報、特に読み取り装置を用いないで視覚的に判別できる情報を記録可能とする。
【課題を解決するための手段】
【００１５】
本発明の要旨は、封筒上紙と封筒下紙の三周縁を接着し、一方側短縁に開口を有する封筒部とした当該封筒部内に、前記開口から抜き取り可能なように先端を突出させた状態で配達票を内包させ、さらに当該封筒部の上面に複数枚の票を有するようにした複写式多層配送伝票において、当該封筒上紙を貼付票兼お届け先控として切り取りして利用できるように、前記三周縁の接着部の内縁に沿って切り取り用ミシン目線を形成したことを特徴とする配送伝票、にある。
【００１６】
上記において、最上面の票に筆記または印字記録した情報のうち、少なくとも届け先人を視覚で特定できる情報を、封筒下紙面に複写可能にすることが好ましい。
【００１７】
また、前記貼付票兼お届け先控の切り取り用ミシン目線のうち、上辺と下辺に沿うミシン目線を、横にした「Ｙ字形状」カット部とその間のアンカット部からなるものであり、左辺に沿うミシン目線が、「変形Ｌ字形状」カット部とアンカット部からなるであるようにでき、同様に、上辺と下辺に沿うミシン目線が、鎖線状のものであり、左辺に沿うミシン目線が、「漏斗状断面形状」とその間のアンカット部からなるものであるようにでき、さらに同様に、上辺と下辺に沿うミシン目線が、横にした「変形Ｙ字形状」カット部とその間のアンカット部からなるものであり、左辺に沿うミシン目線が、「変形くの字形状」のカット部とその間のアンカット部からなるものであるようにすることができる。
【発明の効果】
【００１８】
封筒上紙を貼付票兼お届け先控として、貼付票とお届け先控との共用を図るので、単独のお届け先控を省略でき、票枚数を減らすことができ、資源の節減を図ることができる。
貼付票兼お届け先控がミシン目線により切り取りできるので、必要な場合は容易に控えとして保存できる。
封筒下紙面に貼付票兼お届け先控に複写された情報であって、読み取り機を使用しないで視覚のみで内容を判断できる届け先人を複写可能にする場合は、配送荷物に貼付された配送伝票が封筒下紙だけとなった場合にも、荷物の受取人を判断できて好ましい。
上記ミシン目線は、切り取り易い各種の構成を採用できるので、貼付票兼お届け先控が意図しない破れ方をしないようにできる。
【図面の簡単な説明】
【００１９】
【図１】本発明の配送伝票を示す平面図である。
【図２】本発明の配送伝票を示す模式側面図である。
【図３】封筒下紙に複写される情報を示す図である。
【図４】ミシン目線の例１を示す図である。
【図５】ミシン目線の例２を示す図である。
【図６】ミシン目線の例３を示す図である。
【図７】ミシン目線の例４を示す図である。
【図８】従来の配送伝票を示す模式側面図である。
【図９】従来の配送伝票を示す平面図である。
【発明を実施するための形態】
【００２０】
以下、本発明の配送伝票を、図面を参照して説明する。
図１は、本発明の配送伝票を示す平面図である。配送荷物に貼付された状態を示すので、請求書兼ご依頼主控１１等の封筒２０の上側の票は図示していない。封筒上紙２１を兼ねる貼付票兼お届け先控１７以下の構成が示されている。
【００２１】
封筒下紙２２と封筒上紙２１は、上下の周縁と綴じ側である左端縁側とが接着剤Ｓにより接着し、左端縁と上下縁の接着部２３を形成している。図１において、ハッチングを施した部分が接着部２３であることを透視的に示している。封筒部２０の右側は開口２４になっている。封筒上紙２１と封筒下紙２２は同幅であるが、配送伝票１０の長さ方向に対しては、封筒上紙２１は封筒下紙２２よりは短い寸法にされている。
配達票１６は、封筒２０内に、開口２４から先端を突出させた状態で内包されているので、上方から視認できる。
【００２２】
本配送伝票１０では、単票のお届け先控は省略され、封筒上紙２１が貼付票兼お届け先控１７として双方の役割を兼ねて使用される。従って、封筒部２０には配達票１６のみが内包される。前記開口２４から突出する配達票１６の先端を引っ張ると、ミシン目線Ｍが破れて抜き取りできるのは従来品と同様である。
【００２３】
本配送伝票１０では、封筒上紙２１を貼付票兼お届け先控１７として切り取りして利用できるように、前記三周縁の接着部の内縁に沿って切り取り用ミシン目線ｍ１、ｍ２、ｍ３を全体として右側が開いた「コ」の字状に形成してある。封筒上紙２１の開口２４の端部紙片等を把持して引けば、貼付票兼お届け先控１７として切り取りできる。
ミシン目線ｍ１、ｍ２、ｍ３は、切り損ないしないような各種のパターンで形成できる。これについては、後述する。
【００２４】
図２は、本発明の配送伝票を示す模式側面図である。
図８、図９の従来品と同様に、耐水性に優れた複写用紙を封筒上紙２１とし、封筒下紙２２となるタック基材との左端縁と上下縁を接着剤により封着して封筒部２０を形成する。
この封筒部２０内に、配達票１６を配置し、その端縁を封筒下紙２２であるタック基材に接着剤Ｓによって接着している。配達票１６は、接着部２３近くに形成したミシン目線Ｍにより切り取り可能にされている。請求書兼ご依頼主控１１、取扱店控１２、売上票１３の票を有すること、封筒下紙２２の下面には粘着剤層３１と剥離紙３２が配置されていることも従来品と同じである。
本発明の配送伝票１０の特徴は、封筒上紙２１が貼付票兼お届け先控１７として双方の役割を兼ねて使用されることである。貼付票兼お届け先控１７を切り取りするため、左端側綴じ部近くにはミシン目線ｍ３が形成されている。
【００２５】
封筒下紙２２には、貼付票兼お届け先控１７に複写された情報の一部の情報を記録することが好ましい。図３は、封筒下紙に複写される情報を示す図である。
図３では、お届け先の住所・氏名、電話番号、および依頼主の住所・氏名が複写されているが、氏名だけであっても良く任意に選択できる。届け先であることが明瞭になるように、封筒下紙（タック基材）２２にも、枠形状等の表示印刷をしておくことが好ましい。従来から、封筒下紙２２の右上には、ユニーク番号である１２桁のお問い合わせ番号が印字されているが、この番号では運送会社に、問い合わせて確認する必要があり、直ぐには配送荷物の内容を判断できない状況であった。
従って、複写される情報は、読み取り装置を使用しないで視覚だけで、直ちに内容を判断できる情報が好ましい。
【００２６】
次に、形成するミシン目の形状について説明する。
図４は、ミシン目線の例１を示す図である。ミシン目線の形状のみが図示されている。
貼付票兼お届け先控１７の三周縁は、図示しない接着部Ｓとなっているので、切り取り用ミシン目線ｍ１、ｍ２、ｍ３は、当該接着部Ｓの内縁に沿って形成する。この関係は、以下の図５〜図７の場合も同一である。
ミシン目線の例１は、最も一般的な形状であり、図４のように、一定の長さのカット部とアンカット（非切断）部からなる直線状のものである。カット部の長さは、１〜３ｍｍ程度、アンカット部はカット部の半分程度の長さとする。ミシン目線ｍ１もミシン目線ｍ２もミシン目線ｍ３も同等の形状で良い。図４のミシン目線の場合は、貼付票兼お届け先控１７の右辺上下の切り取り開始端Ｓ１，Ｓ２を両手で注意しながら切り裂きし、その後、右辺中央を把持し上下接着部を押さえながら、切り取り用ミシン目線ｍ１、ｍ２に沿って左に引き、最後にミシン目線ｍ３を上下何れかの方向に引けば、貼付票兼お届け先控１７を切り取りできる。
【００２７】
図５は、ミシン目線の例２を示す図である。
図５の場合、上下辺のミシン目線ｍ１，ｍ２は、横にした「Ｙ字形状」カット部ｃ１とその間のアンカット部ｕ１との連なりからなっている。「Ｙ字形状」の上部のＶ形状が、切り裂き進行方向を受ける形状になっており、「Ｙ字形状」の下部の直線状のＩ形状部分が、切り裂き進行方向を直線方向に誘導する形状になっている。従って、切り取りの進行方向は、図５において、貼付票兼お届け先控１７の左辺側から右辺側への方向となる。
一方、ミシン目線ｍ３は、縦長のカット部ｃ２と当該カット部に開角αが１２０°から１６０°程度の角度で屈曲して接続する短いカット部ｃ３からなる形状（以下および特許請求の範囲で、「変形Ｌ字形状」という。）と上記縦長のカット部ｃ２間のアンカット部ｕ２からなっている。ただし、ミシン目線ｍ３の下端部には、直角形状のカット部が形成されていて、切り取り開始端Ｓ３となっている。上端部にも直角形状のカット部が形成されていて、切り取り停止端Ｓ４となっている。
従って、図５のミシン目線の場合は、切り取り開始端Ｓ３を封筒上紙２１面から押して、上端Ｓ４までのミシン目線ｍ３の全体をまず切断する。その後、切断した貼付票兼お届け先控１７の左辺中央部を把持して、右方向に引けば、上下辺双方のミシン目線ｍ１，ｍ２が切断して、貼付票兼お届け先控１７を切り取りできる。
【００２８】
図６は、ミシン目線の例３を示す図である。
図６の場合、上下辺のミシン目線ｍ１，ｍ２は、図４の場合と同一であり、最も一般的な鎖線形状である。
一方、ミシン目線ｍ３は、異なる方向αで開角する前記「変形Ｌ字形状」の二つのカット線ｃ４，ｃ５を向かい合わせて対称的に配置し、当該二つのカット線の配置から漏斗状の断面形状（以下および特許請求の範囲で、「漏斗状断面形状」という。）を形成し、当該「漏斗状断面形状」を、アンカット部ｕ３を介して直線状に配列した形状からなっている。
この場合のミシン目線ｍ３は、一定幅ｗ１を有するものとなる。
ただし、ミシン目線ｍ３の下端部には、直角形状のカット部が形成されていて、切り取り開始端Ｓ３となっている。ミシン目線ｍ３の上端部も漏斗状断面形状の端部が綴じた形状になっていて、切り取り停止端Ｓ４なっている。
従って、図６のミシン目線の場合は、切り取り開始端Ｓ３を押圧して、切り欠きが生じた開始端Ｓ３を指で摘んで、ミシン目線ｍ３の全体をまず一定幅ｗ１で切断して除去する。
その後、貼付票兼お届け先控１７の左辺中央部を把持して、右方向に引けば、上下双方のミシン目線ｍ１，ｍ２が切断して、貼付票兼お届け先控１７を切り取りできる。
【００２９】
図７は、ミシン目線の例４を示す図である。図７（Ａ）は、その全体図、図７（Ｂ）は、左辺のミシン目線ｍ３の拡大図、図７（Ｃ）は、上辺のミシン目線ｍ１の拡大図、図７（Ｄ）は、下辺のミシン目線ｍ２の拡大図、である。
図７の場合、図５のミシン目線と共通する要素を有するが、ミシン目線ｍ１，ｍ２には、変形したＹ字形状（以下および特許請求の範囲で、「変形Ｙ字形状」という。）のミシン目線が、ミシン目線ｍ３には、変形したくの字形状（以下および特許請求の範囲で、「変形くの字形状」という。）のミシン目線が使用されている点で相違している。
【００３０】
以下、図７（Ｂ）（Ｃ）（Ｄ）中の符号を用いて、当該形状について、詳細に説明する。
図７（Ｂ）のように、変形くの字形状のミシン目線は、平行して延びるカット線ｃ６，ｃ７の間を接続する緩やかに屈曲するカット線ｃ８が連結して全体として「変形くの字形状」のカット線を形成している。カット線ｃ８が屈曲する幅ｗ２が、アンカット部ｕ４の長さになっている。
【００３１】
図７（Ｃ）のように、変形Ｙ字形状のミシン目線は、Ｙ字形状を拡大した形状を有する。
カット方向に平行なカット線ｃ９に対して、一方側に大きく斜行するカット線ｃ１０が接続している。カット線ｃ１０には、さらにカット線ｃ１１とカット線ｃ１２が接続している。このように、カット線ｃ１０，ｃ１１，ｃ１２が大きい形状にされているのは、ミシン目線ｍ１が内側の票の領域に進行するのを防止する効果を持たせるためである。ｃ１２はカット線がさらに内側に進行するのを強制阻止して反転させる目的である。カット線ｃ９に対して、票の外側方向には、短いカット線ｃ１３が接続している。
図７（Ｄ）は、ミシン目線ｍ２の拡大図であるが、図７（Ｃ）の形状と対称形状であることが理解できる。ミシン目線ｍ１もミシン目線ｍ２も切り取り線が貼付票兼お届け先控１７の内側に進行するのを防止する目的で、票の横中心線に対して対称形状になるように、カット線ｃ１０，ｃ１１，ｃ１２を大きく形成している。
【００３２】
図５ないし図７の各カット線ｃ１〜ｃ１３の長さは、ミシン目線ｍ１，ｍ２，ｍ３の長さにより任意に設定できるが、連続しているカット線全体の長さ（カット部全体のカット進行方向の長さ）は、２〜８ｍｍ、アンカット部ｕ１〜ｕ５は、０．５〜２ｍｍ程度とするのが好ましいと考えられる。各カット線ｃ１〜ｃ１３のそれぞれの長さは、カット形状の主旨を勘案して適宜に設定することができる。
図示していないが、ミシン目線ｍ１，ｍ２とミシン目線ｍ３の組み合わせは、図４〜図６の組み合わせに限定されるものでなく、相互に置換して使用できるものである。
【００３３】
〈材質に関する実施形態〉
（１）伝票用紙
各伝票用の用紙には、ノーカーボン用紙や複写用紙を使用できる。表面側から、１枚目、２枚目の用紙にはノーカーボン用紙を使用することが多く、下層では複写性の優れるカーボン用紙を使用することが好ましい。封筒上紙２１には、雨や雪濡れの対策として、耐水複写用紙を使用するのが好ましい。
（２）粘着剤と剥離紙
粘着作用をする通常の粘着剤を粘着剤層３１に広く使用できる。剥離紙３２には紫外線硬化性樹脂やシリコン等により剥離処理した材料を使用できる。
【実施例】
【００３４】
（実施例１）
１枚目用紙（請求書ご依頼主控１１）とタック紙の大きさを、長さ２０２ｍｍ、幅１１４ｍｍとし、封筒上紙（貼付票兼お届け先控１７）の大きさを、長さ１８６ｍｍ、幅１１４ｍｍ、配達票は、長さ２００ｍｍ、幅１０２ｍｍとなるようにして配送伝票１０を製造した。１枚目用紙と封筒上紙２１の間の票は１枚目用紙と同サイズである。
なお、タック紙とは、タック基材（封筒下紙２２）と剥離紙３２の間を粘着剤で接着したものである。
【００３５】
１枚目用紙（請求書ご依頼主控１１）にノーカーボントップ（４０ｇ／ｍ２）、２枚目用紙（取扱店控１２）にノーカーボンボトム（４０ｇ／ｍ２）、３枚目用紙（売上票１３）に複写用紙（４１ｇ／ｍ２）、４枚目用紙（封筒上紙２１を兼ねる貼付票兼お届け先控１７）に耐水複写用紙（５０ｇ／ｍ２）、５枚目用紙（配達票１６）に複写用紙（５０ｇ／ｍ２）を使用した。
【００３６】
連続紙状の各用紙に文字・デザインをオフセット印刷で印刷した後、連続紙のサイドの送り穴で位置合わせしながら、各用紙の丁合と接着剤による綴じ合わせ、および綴じ側のミシン目線の形成を行い、さらにバーコード、ユニーク番号（１２桁の数字）の印字を行って、配送伝票１０を完成した。
なお、タック基材（封筒下紙２２）にも届け先人の住所、氏名の複写欄に所定形状の枠印刷を施しておいた。また、４枚目用紙（封筒上紙２１を兼ねる貼付票兼お届け先控１７）には、丁合前に切り取り用ミシン目線ｍ１，ｍ２，ｍ３を鎖線状に形成しておいた。
【００３７】
（実施例２）
実施例１と同サイズの配送伝票を、同一材料を使用し同一条件で製造した。
ただし、前記貼付票兼お届け先控１７の切り取り用ミシン目線のうち、上辺と下辺に沿うミシン目線ｍ１，ｍ２を、横にした「Ｙ字形状」カット部とその間のアンカット部からなるものとし、左辺に沿うミシン目線ｍ３が、「変形Ｌ字形状」カット部とアンカット部からなるものとした。
【００３８】
（実施例３）
実施例１と同サイズの配送伝票を、同一材料を使用し同一条件で製造した。
ただし、前記貼付票兼お届け先控１７の切り取り用ミシン目線のうち、上辺と下辺に沿うミシン目線ｍ１，ｍ２を鎖線状のものとし、左辺に沿うミシン目線が、「漏斗状断面形状」とその間のアンカット部からなるものとした。
【００３９】
（実施例４）
実施例１と同サイズの配送伝票を、同一材料を使用し同一条件で製造した。
ただし、前記貼付票兼お届け先控１７の切り取り用ミシン目線のうち、上辺と下辺に沿うミシン目線ｍ１，ｍ２を、横にした「変形Ｙ字形状」カット部とその間のアンカット部からなるものとし、左辺に沿うミシン目線ｍ３が、「変形くの字形状」のカット部とその間のアンカット部からなるものとした。
【００４０】
実施例１〜実施例４で完成した配送伝票１０を実用したところ、貼付票兼お届け先控１７の切り取りが円滑にでき、その他の点においても支障なく使用できることが確認できた。
【符号の説明】
【００４１】
１０  配送伝票
１１  ご依頼主控
１２  取扱店控
１３  売上票
１４  貼付票
１５  お届け先控
１６  配達票
１７  貼付票兼お届け先控
２０  封筒部
２１  封筒上紙
２２  封筒下紙
２３  接着部
２４  開口
３１  粘着剤層
３２  剥離紙（セパ紙）
【図１】
2015208861.tif 000003
【図２】
2015208861.tif 000004
【図３】
2015208861.tif 000005
【図４】
2015208861.tif 000006
【図５】
2015208861.tif 000007
【図６】
2015208861.tif 000008
【図７】
2015208861.tif 000009
【図８】
2015208861.tif 000010
【図９】
2015208861.tif 000011